(57)【要約】【課題】外観向上のためのパネルの離脱を防止する。【解決手段】調理器１０は、本体１４と、本体１４に対して開閉可能に取り付けられた蓋体２６とを備える。本体１４又は蓋体２６の外装体１５，２８は、外周壁４１，１０１の一端を端壁４２，１０２によって塞いだベース部材４０，１００と、外周壁４１，１０１の側部４１ａ，１０１ａの外面を覆う側面パネル５２，１１０とを備える。ベース部材４０，１００には、係止受部６０ａ，１２３と固定部６８ａ，１２８が設けられている。側面パネル５２，１１０には、係止部６１，１２４と被固定部７０，１３０とが、内面５２ａ，１１０ａからベース部材４０，１００に向けて突設されている。【選択図】図１
2019181029.tif 000002
【特許請求の範囲】
【請求項１】
本体と、前記本体に対して開閉可能に取り付けられた蓋体とを備え、
前記本体又は前記蓋体の外装体は、筒状の外周壁の一端を端壁によって塞いだベース部材と、前記外周壁の側部の外面を覆う側面パネルとを備え、
前記ベース部材には、前記側部の前記端壁とは反対側に係止受部が設けられるとともに、前記端壁側に固定部が設けられ、
前記側面パネルには、前記係止受部に係止された板状の係止部と、前記固定部上に配置されて固定された板状の被固定部とが、前記側面パネルの内面から前記ベース部材に向けて突設されている、調理器。
【請求項２】
前記固定部は、ネジが締め付けられたネジ止め部であり、
前記被固定部は、前記ネジが貫通されたネジ止め片である、請求項１に記載の調理器。
【請求項３】
前記ネジ止め部は、前記ネジ止め片が配置された端とは反対側が塞がれた有底筒状である、請求項２に記載の調理器。
【請求項４】
前記本体が前記ベース部材と前記側面パネルを備えており、
前記固定部は、前記端壁から前記ベース部材内に突出するように設けられ、
前記ベース部材の前記側部には、前記被固定部を前記ベース部材内に配置するための貫通孔が設けられている、請求項１から３のいずれか１項に記載の調理器。
【請求項５】
前記蓋体が前記ベース部材と前記側面パネルを備えており、
前記ベース部材の前記側部には、内向きに窪む凹部が設けられ、
前記固定部は、前記凹部内に設けられている、請求項１から３のいずれか１項に記載の調理器。
【請求項６】
前記ベース部材の前記端壁の外面を覆う端面パネルを更に備え、
前記固定部は、前記端面パネルによって覆われている、請求項５に記載の調理器。
【請求項７】
前記ベース部材の前部の外面を覆う前面パネルを更に備え、
前記ベース部材の前記前部には、前記端壁とは反対側に第２の係止受部が設けられるとともに、前記端壁側に第２の固定部が設けられ、
前記前面パネルには、前記第２の係止受部に係止された板状の第２の係止部と、前記第２の固定部上に配置されて固定された板状の第２の被固定部とが、前記前面パネルの内面から前記ベース部材に向けて突設されている、請求項１から６のいずれか１項に記載の調理器。
【請求項８】
前記側面パネルと前記前面パネルには、一方に差込部が設けられ、他方に前記差込部が差し込まれる差込穴が設けられている、請求項７に記載の調理器。
【発明の詳細な説明】
【技術分野】
【０００１】
本発明は、調理器に関する。
【背景技術】
【０００２】
調理器は、本体と、本体に対して開閉可能に取り付けられた蓋体とを備える。特許文献１には、本体の正面に化粧パネルを取り付け、外観の向上を図った炊飯器が開示されている。化粧パネルは、上端に設けられたフック部と、下端に設けられた係止部とを備え、フック部を本体のベース部材に引っ掛け、係止部をベース部材に係止することで、取り付けられている。
【先行技術文献】
【特許文献】
【０００３】
【特許文献１】特開２００４−１７３７６２号公報
【発明の概要】
【発明が解決しようとする課題】
【０００４】
特許文献１の炊飯器では、化粧パネルの係止部はベース部材の挟持片に係止されており、この係止構造部分は露出しているため、外力が加わると化粧パネルが外れる可能性がある。
【０００５】
本発明は、外観向上のためのパネルの離脱を確実に防止できる調理器を提供することを課題とする。
【課題を解決するための手段】
【０００６】
本発明の一態様は、本体と、前記本体に対して開閉可能に取り付けられた蓋体とを備え、前記本体又は前記蓋体の外装体は、筒状の外周壁の一端を端壁によって塞いだベース部材と、前記外周壁の側部の外面を覆う側面パネルとを備え、前記ベース部材には、前記側部の前記端壁とは反対側に係止受部が設けられるとともに、前記端壁側に固定部が設けられ、前記側面パネルには、前記係止受部に係止された板状の係止部と、前記固定部上に配置されて固定された板状の被固定部とが、前記側面パネルの内面から前記ベース部材に向けて突設されている、調理器を提供する。
【０００７】
この調理器によれば、側面パネルがベース部材に固定されるため、ベース部材から側面パネルが離脱することはない。また、固定用の係止部と被固定部が側面パネルの内面から板状に突出しているため、側面パネルには、成形時に成型材料の収縮による窪み（ヒケ）が生じることはない。よって、調理器の外観を効果的に向上できる。
【０００８】
前記固定部は、ネジが締め付けられたネジ止め部であり、前記被固定部は、前記ネジが貫通されたネジ止め片である。この態様によれば、ネジ止めによって固定されるため、ベース部材に対して側面パネルを離脱させることなく確実に固定できる。
【０００９】
前記ネジ止め部は、前記ネジ止め片が配置された端とは反対側が塞がれた有底筒状である。この態様によれば、外装体内への浸水を確実に防止できる。
【００１０】
前記本体が前記ベース部材と前記側面パネルを備えており、前記固定部は、前記端壁から前記ベース部材内に突出するように設けられ、前記ベース部材の前記側部には、前記被固定部を前記ベース部材内に配置するための貫通孔が設けられている。この態様によれば、ベース部材の内部に固定部が位置するため、固定部の露出を防止できる。よって、側面パネルの離脱を確実に防止できるうえ、固定部分の露出によって調理器の外観が損なわれることを防止できる。
【００１１】
前記蓋体が前記ベース部材と前記側面パネルを備えており、前記ベース部材の前記側部には、内向きに窪む凹部が設けられ、前記固定部は、前記凹部内に設けられている。この態様によれば、被固定部への他部材の干渉を抑制できるため、ベース部材からの側面パネルの離脱を効果的に抑制できる。
【００１２】
この場合、前記ベース部材の前記端壁の外面を覆う端面パネルを更に備え、前記固定部は、前記端面パネルによって覆われていることが好ましい。この態様によれば、固定部が端面パネルによって覆われるため、被固定部の露出を防止できる。よって、側面パネルの離脱を確実に防止できるうえ、固定部分の露出によって調理器の外観が損なわれることを防止できる。
【００１３】
前記ベース部材の前部の外面を覆う前面パネルを更に備え、前記ベース部材の前記前部には、前記端壁とは反対側に第２の係止受部が設けられるとともに、前記端壁側に第２の固定部が設けられ、前記前面パネルには、前記第２の係止受部に係止された板状の第２の係止部と、前記第２の固定部上に配置されて固定された板状の第２の被固定部とが、前記前面パネルの内面から前記ベース部材に向けて突設されている。この態様によれば、外装体の前面の外観も効果的に向上できる。
【００１４】
この場合、前記側面パネルと前記前面パネルには、一方に差込部が設けられ、他方に前記差込部が差し込まれる差込穴が設けられている。この態様によれば、側面パネルと前面パネルを係着できるため、これらの間での隙間の発生を防止でき、外観を効果的に向上できる。
【発明の効果】
【００１５】
本発明の調理器では、側面パネルがベース部材に固定されるため、ベース部材からの側面パネルの離脱を防止できる。また、固定部分を露出しない位置に形成することで、調理器の外観を効果的に向上できる。
【図面の簡単な説明】
【００１６】
【図１】本発明の実施形態に係る炊飯器の断面図。
【図２】蓋体を開いた炊飯器の斜視図。
【図３】炊飯器の分解斜視図。
【図４】本体外装体を正面側から見た斜視図。
【図５】本体外装体を背面側から見た斜視図。
【図６】本体外装体を正面側から見た分解斜視図。
【図７】本体外装体を背面側から見た分解斜視図。
【図８】側面パネルと前面パネルの一部を示す斜視図。
【図９】ベース部材と側面パネルの取付構造を示す断面図。
【図１０】蓋外装体を示す分解斜視図。
【図１１】蓋外装体を正面側から見た分解斜視図。
【図１２】蓋外装体を背面側から見た分解斜視図。
【図１３】ベース部材と側面パネルを下方から見た分解斜視図。
【図１４】ベース部材と側面パネルの取付構造を示す断面図。
【発明を実施するための形態】
【００１７】
以下、本発明の実施の形態を図面に従って説明する。
【００１８】
図１及び図２は、本発明の実施形態に係る調理器の一例である炊飯器１０を示す。この炊飯器１０は、炊飯鍋１２が着脱可能に配置される炊飯器本体１４と、炊飯器本体１４に開閉可能に取り付けられた蓋体２６とを備える。炊飯器本体１４と蓋体２６の外装体１５，２８は、それぞれベース部材と化粧パネルとで構成されており、本実施形態ではベース部材から化粧パネルを離脱させることなく、炊飯器１０の外観を効果的に向上する。
【００１９】
（炊飯器の概要）
図１から図３に示すように、炊飯器本体１４は、上端を開口した本体外装体１５と、本体外装体１５の開口を塞ぐ肩体１６とを備える。肩体１６の背部には、蓋体２６を回転可能に取り付けるヒンジ接続部１７が設けられている。また、肩体１６の側部には、持ち運び用のハンドル１８が回転可能に取り付けられている。
【００２０】
炊飯器本体１４は、有底筒状の炊飯鍋１２を収容する収容部１９を備える。収容部１９は、円筒状に形成された金属製の内胴２０と、受け皿状に形成された樹脂（非導電性材料）製の保護枠２１とを備える有底筒状であり、肩体１６の開口の下部に配置されている。図１に最も明瞭に示すように、保護枠２１の外側には、炊飯鍋１２を誘導加熱するコイル２２が、保護枠２１の周方向に間隔をあけて３個配置されている。個々のコイル２２の外側には、フェライトコア（図示せず）を保持するホルダ２４が配置されており、このホルダ２４と保護枠２１の間にコイル２２が保持（固定）されている。
【００２１】
蓋体２６は、肩体１６の上面を覆う平面視形状の蓋本体２７と、蓋本体２７の上部を覆う蓋外装体２８とを備え、蓋本体２７がヒンジ接続部１７に回転可能に取り付けられている。蓋本体２７は、炊飯鍋１２を臨む内部側（図１において下側）に放熱板２９を備える。放熱板２９の下側には、炊飯鍋１２の上端開口を閉塞する内蓋３０が設けられている。蓋体２６に対して内蓋３０は、着脱可能に配置してもよいし、取外不可能に配置してもよい。
【００２２】
図３に最も明瞭に示すように、蓋体２６には、複数の操作ボタン３３と液晶パネル（表示部）３４を有する操作パネル部３２が設けられている。複数の操作ボタン３３には、炊飯処理を開始させる炊飯ボタン、保温処理を開始させる保温ボタン、及び炊飯処理と保温処理を終了させるとりけしボタンが含まれている。液晶パネル３４は、炊飯メニューの選択状態、及び現状の動作状態を表示する。
【００２３】
炊飯器本体１４の正面側にはホルダ３６を介して制御基板３７が配置され、この制御基板３７に電気部品を制御する制御部（図示せず）が配置されている。制御部は、単一又は複数のマイクロコンピュータ、及びその他の電子デバイスにより構成されている。制御部は、図示しない温度センサの検出結果に基づいてコイル２２への通電を制御し、炊飯処理と保温処理を実行する。
【００２４】
本体外装体１５と蓋外装体２８は、樹脂製であり、肩体１６と蓋本体２７に固定するための固定構造（例えばネジ止め用のボス４３等）を備える。また、本体外装体１５と蓋外装体２８には、その他の構成部品を配置するための取付構造が設ける必要がある。これらによって外装体１５，２８の一部分が他の部分よりも厚くなると、成形時の熱収縮による窪み（ヒケ）が生じるため、外装体１５，２８の外観、つまり炊飯器１０の外観が損なわれる。
【００２５】
そこで、本実施形態では、外装体１５，２８を、ベース部材と、ベース部材の外側を覆う化粧パネルとで構成し、炊飯器１０の外観を向上できるようにしている。
【００２６】
（本体外装体の概要）
図４から図７に示すように、本体外装体１５は、肩体１６を配置する上端開口のベース部材４０を備える。ベース部材４０には、化粧パネルとして、一対の側部４１ａの外面に側面パネル５２がそれぞれ配置され、前部４１ｂの外面に前面パネル５５が配置されている。また、ベース部材４０の背部４１ｃには、ヒンジ接続部１７を覆うヒンジカバー５７が配置されている。
【００２７】
ベース部材４０は、四角筒状の外周壁４１と、外周壁４１の下端（一端）を塞ぐ底壁（端壁）４２とを備える。底壁４２は平板状であり、４隅の近傍にはネジ止め用の柱部（ボス）４３が形成されている。柱部４３は、上端の閉鎖面にネジ孔が形成された筒体である。柱部４３の上端に保護枠２１が配置され、保護枠２１上に肩体１６が配置され、この状態で底壁４２側から肩体１６にネジが締結されることで、ベース部材４０に保護枠２１と肩体１６が固定される。
【００２８】
ベース部材４０（外周壁４１）の側部４１ａは、前後方向の中央が最も外側へ膨出する曲面状の側面パネル取付部４４を備える。側面パネル取付部４４の上端を除く外周には、Ｕ字状をなすように段部４５が形成されている。側部４１ａの中央上部には、ハンドル１８を挿通するＵ字形状の挿通溝４６が形成されている。
【００２９】
ベース部材４０の前部４１ｂは、下端から上端に向けて外側へ次第に広がる曲面状の前面パネル取付部４７を備える。前面パネル取付部４７の下部には、水平方向に延びるように段部４８が形成されている。
【００３０】
ベース部材４０の背部４１ｃは、側面パネル取付部４４よりも後側へ突出している。背部４１ｃの上側には、ヒンジカバー５７を配置する切欠部４９が設けられている。切欠部４９の下辺には、ヒンジカバー５７をネジ止めする一対のブラケット５０が突設されている。本実施形態の切欠部４９は、背部４１ｃから側部４９ａの一部にかけて設けられている。
【００３１】
側面パネル５２は、側面パネル取付部４４の外面に沿う内面５２ａを備え、肉厚は一様に形成されている。側面パネル５２は、段部４５に一致する外形を有する。図２を参照すると、側面パネル５２の上端は、肩体１６の側部を覆うことが可能な位置まで延設されている。側面パネル５２には、ハンドル１８を貫通させる概ね円形状の挿通孔５３が設けられている。
【００３２】
前面パネル５５は、前面パネル取付部４７の外面に沿う内面５５ａを備え、肉厚は一様に形成されている。前面パネル５５の下端は、段部４８に一致する外形であり、前面パネル５５の上端は、肩体１６の前部を覆うことが可能な位置まで延設されている。前面パネル５５は一対の側面パネル５２間に位置し、その側縁は側面パネル５２の縁に沿う形状である。
【００３３】
ヒンジカバー５７は、切欠部４９に嵌められ、ネジ止めによってベース部材４０に固定されている。ヒンジカバー５７は一対の側面パネル５２間に位置し、その側縁は側面パネル５２の縁に沿う形状である。ヒンジカバー５７には、背部４１ｃから外向きに突出するように、ハンドル１８を載置する段部５８が形成されている。
【００３４】
（ベース部材と化粧パネルの取付構造）
ベース部材４０には、側面パネル５２と前面パネル５５を取り付けるために、係止受部６０ａ，６０ｂとネジ止め部（固定部）６８ａ，６８ｂが設けられている。側面パネル５２と前面パネル５５には、係止受部６０ａ，６０ｂに係止する係止部６１，６４と、ネジ止め部６８ａ，６８ｂにネジ止めされるネジ止め片（被固定部）７０，７３が設けられている。
【００３５】
また、側面パネル５２、前面パネル５５、及びヒンジカバー５７をベース部材４０に仮止めするために、ベース部材４０には仮止め受部７７ａ〜７７ｃが設けられ、個々のパネル５２，５５，５７には仮止め部８１〜８４のいずれかが設けられている。さらに、前面パネル５５とヒンジカバー５７を側面パネル５２に係着するために、側面パネル５２には差込穴８６ａ，８６ｂが設けられ、前面パネル５５とヒンジカバー５７には差込部８９，９２が設けられている。
【００３６】
図６、図７及び図９に示すように、係止受部６０ａ，６０ｂは、底壁４２とは反対側に位置するように、側部４１ａと前部４１ｂの上端に設けられている。係止受部６０ａ，６０ｂは、側部４１ａと前部４１ｂの上端から突出した突片からなり、側部４１ａと前部４１ｂの長手方向に間隔をあけて複数設けられている。
【００３７】
図６から図９に示すように、側面パネル５２の係止部６１は、内面５２ａから側部４１ａに向けて交差する向きに突出する突片６２を備える。前面パネル５５の係止部６４は、内面５５ａから前部４１ｂに向けて交差する向きに突出する突片６５を備える。これらの突片６２，６５は、肉厚がパネル部分の肉厚と概ね同一の板状である。突片６２には係止受部６０ａと対応する位置に係止孔６３がそれぞれ設けられ、突片６５には係止受部６０ｂと対応する位置に係止孔６６がそれぞれ設けられている。
【００３８】
図６及び図７に示すように、ネジ止め部６８ａ，６８ｂは、ベース部材４０内に突出するように底壁４２に設けられている。図９を参照すると、ネジ止め部６８ａ，６８ｂは、ネジ止め片７０，７３が配置される上端とは反対側の下端が塞がれた有底筒状である。側部４１ａと前部４１ｂには、ネジ止め部６８ａ，６８ｂと対応する位置に、ネジ止め片７０，７３をベース部材４０内に配置するための貫通孔６９ａ，６９ｂが設けられている。
【００３９】
図６から図９に示すように、側面パネル５２のネジ止め片７０は、内面５２ａから側部４１ａに向けて交差する向きに突出している。ネジ止め片７０は、肉厚がパネル部分の肉厚と概ね同一の板状である。ネジ止め片７０の先端には、ネジを貫通可能なネジ孔７１が形成されている。ネジ止め片７０の突出方向の両側には、補強リブ７２が上向きに突出するように設けられている。
【００４０】
前面パネル５５のネジ止め片７３は、内面５５ａから前部４１ｂに向けて交差する向きに突出している。このネジ止め片７３は、一対の一対の突出部７４の先端間に設けられた凹字形状の枠体からなる。突出部７４は、肉厚がパネル部分の肉厚と概ね同一の板状である。ネジ止め片７３には、ネジを貫通可能なネジ孔７５が形成されている。
【００４１】
ベース部材４０に側面パネル５２を取り付ける際には、ベース部材４０の係止受部６０ａに、側面パネル５２の係止孔６３を引っ掛けるように係止する。その後、ネジ止め片７０が位置する側面パネル５２の下側をベース部材４０の側部４１ａに向けて移動（回転）させ、貫通孔６９ａを通してネジ止め片７０をネジ止め部６８ａ上に配置する。そして、ベース部材４０内において、ネジ止め片７０を通してネジをネジ止め部６８ａに締め付けることで、側面パネル５２をベース部材４０に固定できる。
【００４２】
ベース部材４０に前面パネル５５を取り付ける際には、ベース部材４０の係止受部６０ｂに、前面パネル５５の係止孔６６を引っ掛けるように係止する。その後、ネジ止め片７３が位置する前面パネル５５の下側をベース部材４０の前部４１ｂに向けて移動させ、貫通孔６９ｂを通してネジ止め片７３をネジ止め部６８ｂ上に配置する。そして、ベース部材４０内において、ネジ止め片７３を通してネジをネジ止め部６８ｂに締め付けることで、前面パネル５５をベース部材４０に固定できる。
【００４３】
図６及び図７に示すように、側面パネル５２を仮止めするために、ベース部材４０には、側部４１ａの内側に１種の仮止め受部７７ａが設けられている。この仮止め受部７７ａは、段部４５の内側に位置するように形成された凸条によって構成されている。側部４１ａには、仮止め受部７７ａと対応する位置に、側面パネル５２の仮止め部８１をベース部材４０内に配置するための貫通孔７８ａが設けられている。
【００４４】
前面パネル５５を仮止めするために、ベース部材４０には２種の仮止め受部７７ｂ，７７ｃが設けられている。仮止め受部７７ｂは、段部４８の内側に位置するように形成された凸条によって構成されている。前部４１ｂには、仮止め受部７７ｂと対応する位置に、前面パネル５５の仮止め部８２をベース部材４０内に配置するための貫通孔７８ｂが設けられている。仮止め受部７７ｃは、前部４１ｂに形成された貫通孔７９の一側に設けたリブによって構成されている。
【００４５】
ヒンジカバー５７を仮止めするために、ベース部材４０には、背部４１ｃに１種の仮止め受部７７ｄが設けられている。この仮止め受部７７ｄは、切欠部４９の側部に位置する枠板によって構成されている。
【００４６】
図６から図８に示すように、仮止め受部７７ａに係止する側面パネル５２の仮止め部８１は、内面５２ａから側部４１ａに向けて交差する向きに突出している。この仮止め部８１は、一対の突出部８１ａと、一対の突出部８１ａの先端間に設けられた端板８１ｂとを備える凹字形状の枠体からなる。
【００４７】
仮止め受部７７ｂに係止する前面パネル５５の仮止め部８２は、内面５５ａから前部４１ｂに向けて交差する向きに突出している。この仮止め部８２は、一対の突出部８２ａと、一対の突出部８２ａの先端間に設けられた端板８２ｂとを備える凹字形状の枠体からなる。仮止め受部７７ｃに係止する前面パネル５５の仮止め部８３は、一対の突出部８３ａと、一対の突出部８３ａの先端間に設けられた端板８３ｂとを有する凹字形状の枠体を備える。端板８３ｂには、仮止め受部７７ｃに係止する係止爪（図示せず）が形成されている。
【００４８】
図４及び図６に示すように、ヒンジカバー５７の仮止め部８４は、ヒンジカバー５７の内面から背部４１ｃに向けて交差する向きに突出している。仮止め部８４は、一対の突出部８４ａと、一対の突出部８４ａの先端間に設けられた端板８４ｂとを有する凹字形状の枠体を備える。端板８４ｂには仮止め受部７７ｃに係止する係止爪８４ｃが形成されている。
【００４９】
ベース部材４０の係止受部６０ａ，６０ｂにパネル５２，５５の係止孔６３，６６を引っ掛け、パネル５２，５５の下端をベース部材４０に向けて回転させると、仮止め受部７７ａ〜７７ｃに仮止め部８１〜８３が係止する。これにより、ネジ止め片７０，７３をネジ止め部６８ａ，６８ｂ上に配置した状態に維持できるため、ベース部材４０に対する側面パネル５２と前面パネル５５の取付作業性を向上できる。
【００５０】
ヒンジカバー５７をベース部材４０の切欠部４９に配置すると、仮止め受部７７ｄに仮止め部８４が係止する。これにより、ヒンジカバー５７をベース部材４０の取付位置に維持できるため、ベース部材４０に対するヒンジカバー５７の取付作業性を向上できる。
【００５１】
図４、図６及び図８に示すように、前面パネル５５を係着する差込穴８６ａは、側面パネル５２の前側に設けられ、ヒンジカバー５７を係着する差込穴８６ｂは、側面パネル５２の後側に設けられている。これらの差込穴８６ａ，８６ｂは、内面５２ａから側部４１ａに向けて交差する向きに突出する一対の突出部８７と、一対の突出部８７の先端間に設けられた端板８８とを備える凹字形状の枠体によって構成されている。
【００５２】
図８に示すように、前面パネル５５の差込部８９は、内面５５ａの両側縁から突出するリブによって構成されている。この差込部８９は、前面パネル５５の両側に設けられた補強リブ９０に、突出部８７と対応する一対の切欠部９１を設けることで、一対の切欠部９１間に形成されている。図４及び図６に示すように、差込部９２には、ヒンジカバー５７に形成された仮止め部８４が兼用されている。
【００５３】
側面パネル５２を取り付けたベース部材４０に対して前面パネル５５を取り付けることで、ベース部材４０の外側（段部４５）にて、差込穴８６ａに差込部８９が差し込まれる。また、ベース部材４０に対してヒンジカバー５７を取り付けることで、ベース部材４０の内部にて、差込穴８６ｂに差込部９２が差し込まれる。これにより、側面パネル５２と前面パネル５５、及び側面パネル５２とヒンジカバー５７を係着できるため、これらの間での隙間の発生を防止できる。
【００５４】
なお、図８に示すように、側面パネル５２の上部には、前面パネル５５に向けて突出する突片９４が設けられている。また、前面パネル５５の補強リブ９０には、突片９４が配置される位置決め溝９５が形成されている。ベース部材４０に対して側面パネル５２と前面パネル５５を配置することで、位置決め溝９５に突片９４が挿入される。これにより、側面パネル５２と前面パネル５５を更に効果的に係着できる。
【００５５】
以上のように、この炊飯器１０では、側面パネル５２と前面パネル５５がベース部材４０にネジ止めされるため、ベース部材４０から側面パネル５２と前面パネル５５が離脱することはない。また、両パネル５２，５５は、固定用の係止部６１，６４とネジ止め片７０，７３が内面５２ａ，５５ａから板状に突出しているため、成形時にヒケが生じることはない。よって、炊飯器１０の外観を効果的に向上できる。
【００５６】
また、ネジ止め部６８ａはベース部材４０の内部に形成されているため、固定部分の露出を防止できる。よって、側面パネル５２の離脱を確実に防止できるだけでなく、ネジ止め部分の露出を防止できる。また、差込穴８６ａ，８６ｂに差込部８９，９２を差し込むことで、側面パネル５２に対する前面パネル５５とヒンジカバー５７の隙間の発生を防止できる。よって、これらの点においても、炊飯器１０の外観を効果的に向上できる。
【００５７】
しかも、ベース部材４０のネジ止め部６８ａ，６８ｂは有底筒状であるため、本体外装体１５内への浸水を確実に防止できる。
【００５８】
（蓋外装体の概要）
図１０から図１２に示すように、蓋外装体２８は、蓋本体２７を覆うように配置する下端開口のベース部材１００を備える。ベース部材１００には、化粧パネルとして、一対の側部１０１ａの外面に側面パネル１１０がそれぞれ配置され、前部１０１ｂの外面に前面パネル１１２が配置され、背部１０１ｃの外面に背面パネル１１６が配置されている。また、ベース部材１００の天壁１０２の外面には、端面パネル１２１が配置されている。
【００５９】
ベース部材１００は、四角筒状の外周壁１０１と、外周壁１０１の上端（一端）を塞ぐ天壁（端壁）１０２とを備える。
【００６０】
外周壁１０１の側部１０１ａは、前後方向の中央が最も外側へ膨出する曲面状に形成されている。外周壁１０１のベース部材１００の前部１０１ｂには、上下方向に延びる板状の補強リブ１０３が、一対の側部１０１ａの一方から他方にかけて間隔をあけて複数設けられている。ベース部材１００の背部４１ｃには、炊飯器本体１４のヒンジ接続部１７を配置するための切欠部１０４が設けられている。
【００６１】
天壁１０２と側部１０１ａの間には、前部１０１ｂから背部１０１ｃにかけて延び、ベース部材１００内へ窪む段部１０５が設けられている。この段部１０５は、水平方向に延びる第１面１０５ａと垂直方向に延びる第２面１０５ｂを備え、ベース部材１００の歪みを防ぐ補強機能を有する。
【００６２】
天壁１０２には、蓋本体２７にネジ止めするためのネジ孔部１０６が、段部１０５に沿って複数設けられている。また、天壁１０２には、前述した液晶パネル３４と操作基板（図示せず）を配置する配置部１０７が形成されている。
【００６３】
側面パネル１１０は、ベース部材１００の側部１０１ａの外面に沿う内面１１０ａを備え、肉厚は一様に形成されている。図１０及び図１４を参照すると、側面パネル１１０の下端は、側部１０１ａの下端に一致する外形であり、側面パネル１１０の上端は、段部１０５を覆うことが可能な位置（端面パネル１２１の上面）まで延設されている。
【００６４】
前面パネル１１２は、一対の側面パネル１１０間に配置されている。前面パネル１１２の肉厚は一様に形成されている。前面パネル１１２には、ベース部材１００に形成された位置決め孔１０８に引っ掛けられる引掛部１１３と、ベース部材１００にネジ止めするためのネジ止め部１１４が設けられている。ネジ止め部１１４は、外端が閉鎖された有底筒状である。ベース部材１００の内部からネジ止め部１１４にネジを締め付けることで、ベース部材１００に対して前面パネル１１２が固定されている。
【００６５】
背面パネル１１６は、一対の側面パネル１１０間に配置されており、切欠部１０４に一致する切欠部１１７を備えている。切欠部１１７の上部には、端面パネル１２１を配置する段部１１８が、下向きに窪むように設けられている。背面パネル１１６の内面には、上端（パネル面）が塞がれ、下端が開口されたネジ止め部１１９が設けられている。ネジ孔１０９を通してベース部材１００の内部からネジ止め部１１９にネジを締め付けることで、ベース部材１００に対して背面パネル１１６が固定されている。
【００６６】
端面パネル１２１は、一対の側面パネル１１０間に配置され、背面パネル１１６の段部１１８上から前面パネル１１２の上端にかけて延びている。端面パネル１２１には、前述した複数の操作ボタン３３と、液晶パネル３４を透視可能な窓３４ａを有する操作パネル部３２が設けられている。複数の操作ボタン３３の前面側には、蓋体２６を開くための操作部材を露出させる露出孔１２２ａが設けられている。窓３４ａの背面側には、排気通路の排気口を露出させる露出孔１２２ｂが設けられている。端面パネル１２１の内面には、上端（パネル面）が塞がれ、下端が開口されたネジ止め部（図示せず）が複数設けられている。ベース部材１００の内部からネジ止め部にネジを締め付けることで、ベース部材１００に対して端面パネル１２１が固定されている。
【００６７】
（ベース部材と側面パネルの取付構造）
ベース部材１００には、側面パネル１１０を取り付けるために、係止受部１２３とネジ止め部（固定部）１２８が設けられている。側面パネル１１０には、係止受部１２３に係止する係止部１２４と、ネジ止め部１２８にネジ止めされるネジ止め片（被固定部）１３０が設けられている。また、側面パネル１１０をベース部材１００に位置決めするために、ベース部材１００には位置決め孔１３３が設けられ、側面パネル１１０には位置決め突起１３４が設けられている。さらに、側面パネル１１０をベース部材１００に仮止めするために、ベース部材１００には仮止め受部１３６が設けられ、側面パネル１１０には仮止め部１３７が設けられている。
【００６８】
図１１から図１４に示すように、ベース部材１００の係止受部１２３は、天壁１０２とは反対側に位置するように、側部１０１ａの下端に設けられている。本実施形態の係止受部１２３は、側部１０１ａの内面に形成され、外向きに窪む段部からなり、側部１０１ａの長手方向の全長にかけて設けられている。
【００６９】
側面パネル１１０の係止部１２４は、内面１１０ａの下端から側部１０１ａに向けて交差する向きに突出する突片１２５を備える。この突片１２５は、肉厚がパネル部分の肉厚と概ね同一の板状である。突片１２５の先端には、上向きに突出して係止受部１２３の内面に係止する係止片１２６が、側面パネル１１０の長手方向に間隔をあけて複数設けられている。つまり、側面パネル１１０の内面１１０ａと係止部１２４の間に、ベース部材１００の係止受部１２３が挟み込まれた状態で係止される（図１４参照）。なお、係止片１２６の上端には、側部１０１ａに向けて突出し蓋本体２７の外周部に係止する係止片１２６ａが更に形成されている。
【００７０】
ベース部材１００のネジ止め部１２８は、側部１０１ａから内向きに窪む凹部１２９内に設けられている。図１３及び図１４を参照すると、ネジ止め部１２８は、ネジ止め片１３０が配置される上端とは反対側の下端が塞がれた有底筒状である。また、ネジ止め部１２８は、ネジが締結される上端が、端面パネル１２１によって覆われる位置に形成されている。
【００７１】
側面パネル１１０のネジ止め片１３０は、内面１１０ａから側部１０１ａに向けて交差する向きに突出している。このネジ止め片１３０は、肉厚がパネル部分の肉厚と概ね同一の板状である。ネジ止め片１３０の先端には、ネジを貫通可能なネジ孔１３１が形成されている。
【００７２】
ベース部材１００に側面パネル１１０を取り付ける際には、ベース部材１００の係止受部１２３に、側面パネル１１０の係止片１２６を引っ掛けるように係止する。その後、ネジ止め片１３０が位置する側面パネル１１０の上側をベース部材１００の側部１０１ａに向けて移動（回転）させ、ネジ止め片１３０をネジ止め部１２８上に配置する。そして、ベース部材１００の上側から、ネジ止め片１３０を通してネジをネジ止め部１２８に締め付けることで、側面パネル１１０をベース部材１００に固定できる。
【００７３】
図１１及び図１２に示すように、ベース部材１００の位置決め孔１３３は、側部１０１ａの下側で外側から内側へ貫通しており、側部１０１ａの長手方向に間隔をあけて複数設けられている。側面パネル１１０の位置決め突起１３４は、内面１１０ａから側部１０１ａに向けて交差する向きに突出している。
【００７４】
ベース部材１００の係止受部１２３に側面パネル１１０の係止部１２４を引っ掛けて、側面パネル１１０の上端をベース部材１００に向けて回転させることで、位置決め孔１３３に位置決め突起１３４が挿入される。これにより、ベース部材１００に対して側面パネル１１０が所定位置に位置決めされるため、ベース部材１００に対する側面パネル１１０の取付作業性を向上できる。
【００７５】
図１１及び図１２に示すように、ベース部材１００の仮止め受部１３６は、段部１０５から上向きに突出し、リブによって補強された板体からなる。この仮止め受部１３６は、段部１０５に沿って間隔をあけて３個設けられている。図１３を併せて参照すると、側面パネル１１０の仮止め部１３７は、内面１１０ａから側部１０１ａに向けて交差する向きに突出している。仮止め部１３７は、仮止め受部１３６に係止する爪を備え、弾性的に変形可能な弾性係止片によって構成されている。
【００７６】
ベース部材１００の係止受部１２３に側面パネル１１０の係止部１２４を引っ掛けて、側面パネル１１０の上端をベース部材１００に向けて回転させることで、仮止め受部１３６に仮止め部１３７が係止される。これにより、ネジ止め片１３０をネジ止め部１２８上に配置した状態に維持できるため、ベース部材１００に対する側面パネル１１０の取付作業性を向上できる。
【００７７】
以上のように、この炊飯器１０では、側面パネル１１０がベース部材１００にネジ止めされるため、ベース部材１００から側面パネル１１０が離脱することはない。また、
側面パネル１１０は、固定用の係止部１２４とネジ止め片１３０が内面１１０ａから板状に突出しているため、成形時にヒケが生じることはない。よって、炊飯器１０の外観を効果的に向上できる。
【００７８】
また、ネジ止め部１２８は、内向きに窪む凹部１２９に設けられているため、ネジ止め片１３０への他部材の干渉を抑制できる。しかも、ネジ止め片１３０を含むネジ止め部１２８は、端面パネル１２１によって覆われるため、固定部分の露出を防止できる。よって、側面パネル１１０の離脱を確実に防止できるうえ、ネジ止め部分の露出によって炊飯器１０の外観が損なわれることを防止できる。
【００７９】
しかも、ネジ止め部１２８は有底筒状であるため、外部から蓋外装体２８内への浸水を確実に防止できる。
【００８０】
なお、本発明の炊飯器１０は、前記実施形態の構成に限定されず、種々の変更が可能である。
【００８１】
例えば、本体外装体１５だけをベース部材と化粧パネルによって構成してもよいし、蓋外装体２８だけをベース部材と化粧パネルによって構成してもよい。また、化粧パネルは、側面パネルだけであってもよい。
【００８２】
蓋体２６の前面パネル１１２は、側面パネル１１０と同様に、係止部とネジ止め片（被固定部）によってベース部材１００に固定してもよい。蓋体２６のパネル１１０，１１２，１１６には、本体１４の外装体１５と同様に、互いに係着する構造を設けてもよい。
【００８３】
固定部と被固定部の固定構造は、ネジ止め（ネジ止め部とネジ止め片）に限られず、必要に応じて変更が可能である。
【００８４】
前記実施形態では、炊飯器１０を例に挙げて説明したが、本発明は、本体と蓋体とを備え、本体又は蓋体が外装体を有する調理器であればいずれでも適用可能であり、同様の作用および効果を得ることができる。
【符号の説明】
【００８５】
１０…炊飯器
１２…炊飯鍋
１４…炊飯器本体
１５…本体外装体
１６…肩体
１７…ヒンジ接続部
１８…ハンドル
１９…収容部
２０…内胴
２１…保護枠
２２…コイル
２４…ホルダ
２６…蓋体
２７…蓋本体
２８…蓋外装体
２９…放熱板
３０…内蓋
３２…操作パネル部
３３…操作ボタン
３４…液晶パネル
３４ａ…窓
３６…ホルダ
３７…制御基板
４０…ベース部材
４１…外周壁
４１ａ…側部
４１ｂ…前部
４１ｃ…背部
４２…底壁（端壁）
４３…柱部
４４…側面パネル取付部
４５…段部
４６…挿通溝
４７…前面パネル取付部
４８…段部
４９…切欠部
５０…ブラケット
５２…側面パネル
５２ａ…内面
５３…挿通孔
５５…前面パネル
５５ａ…内面
５７…ヒンジカバー
５８…段部
６０ａ，６０ｂ…係止受部
６１…係止部
６２…突片
６３…係止孔
６４…係止部
６５…突片
６６…係止孔
６８ａ，６８ｂ…ネジ止め部（固定部）
６９ａ，６９ｂ…貫通孔
７０…ネジ止め片（被固定部）
７１…ネジ孔
７２…補強リブ
７３…ネジ止め片（被固定部）
７４…突出部
７５…ネジ孔
７７ａ〜７７ｄ…仮止め受部
７８ａ，７８ｂ…貫通孔
７９…貫通孔
８１…仮止め部
８１ａ…突出部
８１ｂ…端板
８２…仮止め部
８２ａ…突出部
８２ｂ…端板
８３…仮止め部
８３ａ…突出部
８３ｂ…端板
８４…仮止め部
８４ａ…突出部
８４ｂ…端板
８４ｃ…係止爪
８６ａ，８６ｂ…差込穴
８７…突出部
８８…端板
８９…差込部
９０…補強リブ
９１…切欠部
９２…差込部
９４…突片
９５…位置決め溝
１００…ベース部材
１０１…外周壁
１０１ａ…側部
１０１ｂ…前部
１０１ｃ…背部
１０２…天壁（端壁）
１０３…補強リブ
１０４…切欠部
１０５…段部
１０５ａ…第１面
１０５ｂ…第２面
１０６…ネジ孔部
１０７…配置部
１０８…位置決め孔
１０９…ネジ孔
１１０…側面パネル
１１０ａ…内面
１１２…前面パネル
１１３…引掛部
１１４…ネジ止め部
１１６…背面パネル
１１７…切欠部
１１８…段部
１１９…ネジ止め部
１２１…端面パネル
１２２ａ，１２２ｂ…露出孔
１２３…係止受部
１２４…係止部
１２５…突片
１２６…係止片
１２６ａ…係止片
１２８…ネジ止め部（固定部）
１２９…凹部
１３０…ネジ止め片（被固定部）
１３１…ネジ孔
１３３…位置決め孔
１３４…位置決め突起
１３６…仮止め受部
１３７…仮止め部
【図１】
2019181029.tif 000003
【図２】
2019181029.tif 000004
【図３】
2019181029.tif 000005
【図４】
2019181029.tif 000006
【図５】
2019181029.tif 000007
【図６】
2019181029.tif 000008
【図７】
2019181029.tif 000009
【図８】
2019181029.tif 000010
【図９】
2019181029.tif 000011
【図１０】
2019181029.tif 000012
【図１１】
2019181029.tif 000013
【図１２】
2019181029.tif 000014
【図１３】
2019181029.tif 000015
【図１４】
2019181029.tif 000016